(57)【要約】【課題】使用者の好みにより低コストで出力を増大することが可能な音響装置を提供する  。【解決手段】装置Ａの内部電源６の電圧より高い電圧のオプション電源１５を接続可能とするコネクタ１４を有し、前記内部電源６の＋端子および前記コネクタの＋端子からパワーアンプ方向に順方向電流が流れるように内部電源の＋端子とパワーアンプの＋電源端子間および前記コネクタの＋端子とパワーアンプの＋電源端子間に夫々ダイオード８、９を接続した。【選択図】図１
2010130427.tif 000002
【特許請求の範囲】
【請求項１】
装置の内部電源の電圧より高い電圧のオプション電源を接続可能とするコネクタを有し、前記内部電源の＋端子および前記コネクタの＋端子からパワーアンプ方向に順方向電流が流れるように内部電源の＋端子とパワーアンプの＋電源端子間および前記コネクタの＋端子とパワーアンプの＋電源端子間に夫々ダイオードを接続したオプション電源を接続可能とした音響装置。
【請求項２】
前記コネクタの＋端子の電圧により前記パワーアンプのゲインを切り替えるように構成した請求項１のオプション電源を接続可能とした音響装置。
【発明の詳細な説明】
【技術分野】
【０００１】
この発明は音響装置に係わり、特に、使用者の好みにより低コストで出力を増大することが可能な音響装置に関する。
【背景技術】
【０００２】
従来の音響装置のパワーアンプ部の例を図３に示す。図３に示す音響装置Ｂは内部電源６を備えており、内部電源６はパワーアンプ１および定電圧回路７に直流電力を供給する。なお、パワーアンプ１に供給する直流電力の電圧は±Ｖａである。
【０００３】
定電圧回路７はプリアンプ４と電圧増幅器３に定電圧の直流電力を供給する。入力端子５に入力された音声信号は、プリアンプ４および電圧増幅器３で夫々電圧増幅され、さらに、パワーアンプ１で電力増幅されてスピーカ２を駆動する。
【０００４】
パワーアンプ１の出力端子は帰還抵抗器１０および接地抵抗器１２の直列回路を介してグランドに接続され、帰還抵抗器１０および接地抵抗器１２の接続点は電圧増幅器３の−入力端子に接続されている。電圧増幅器３とパワーアンプ１との増幅段のゲインは帰還抵抗器１０と接地抵抗器１２との夫々の抵抗値の比により決定されて一定となっている。
【０００５】
図４に上記音響装置でスピーカ２に印加される電圧の波形の例を示す。図に示すように、スピーカ２に印加される電圧は内部電源６の供給電圧である±Ｖａで制限されて±Ｖａを越えることはない。従って、スピーカ２から放音される音量は限定されたものとなる。上記音響装置を購入した使用者は設置場所や好みによって、音量を大きくしたいと思っても音響装置全体を買い替えなければならず不便であった。
【０００６】
特開平１１−１０３２１６号公報に開示されたオーディオパワーアンプは自動車用バッテリなどの電圧の低い電力供給源を使用して高い出力を得れるようにしたものであり、パワーアンプとしてゲート電流の小さいＭＯＳトランジスタを用い、ＭＯＳトランジスタのゲート容量を充放電するバイポーラトランジスタの駆動（電源）電圧をチャージポンプによりバッテリの電圧よりも高めている。
【０００７】
上記特開平１１−１０３２１６号公報に開示されたオーディオパワーアンプは低い電圧の電力供給源から大きい出力が得られるが、装置全体を取換えなければ使用者はオーディオパワーアンプの出力を増大することはできない。
【０００８】
特開平５−２６７９３号公報に開示されたオーディオ再生システムは、入力されるオーデイオ信号をデジタル信号処理装置によりデジタル処理をするものであり、デジタル処理による遅延時間が経過する前のオーディオ信号の信号レベルによりパワーアンプに供給する電圧を最適化処理する。
【０００９】
上記特開平５−２６７９３号公報に開示されたオーディオ再生システムは、オーディオパワーアンプの出力動作に必要な電源電圧が最適化されることにより、装置コストを高くすることなく、パワーアンプの出力余裕を増大させて、再生音のダイナミックレンジを拡大することができる。しかしながら、装置全体を取換えなければ使用者はオーディオパワーアンプの最大出力を増大することはできない。
【００１０】
特開２００４−１２９０１８号公報に開示されたパワードスピーカ装置はパワーアンプとその電源をトランスにより他の回路と絶縁して、電源としてトランスレス電源を用いることにより重い電源トランスが用いることなく、装置を軽量化することができるが、装置全体を取換えなければ使用者はオーディオパワーアンプの出力を増大することはできない。
【特許文献１】特開平１１−１０３２１６号公報、段落００２３〜段落００４１、図１〜図３
【特許文献２】特開平５−２６７９３号公報、段落０００８〜段落００１２、図１〜図３
【特許文献３】特開２００４−１２９０１８号公報、段落００２０〜段落００３３、図１
【発明の開示】
【発明が解決しようとする課題】
【００１１】
この発明は上記した点に鑑みてなされたものであって、その目的とするところは、オプション電源を接続するだげで音量を大きくすることができる音響装置を提供することにある。
【課題を解決するための手段】
【００１２】
この発明のオプション電源を接続可能とした音響装置は、装置の内部電源の電圧より高い電圧のオプション電源を接続可能とするコネクタを有し、前記内部電源の＋端子および前記コネクタの＋端子からパワーアンプ方向に順方向電流が流れるように内部電源の＋端子とパワーアンプの＋電源端子間および前記コネクタの＋端子とパワーアンプの＋電源端子間に夫々ダイオードを接続したものである。
【００１３】
また、前記音響装置において、前記コネクタの＋端子の電圧により前記パワーアンプのゲインを切り替えるように構成したものである。
【発明の効果】
【００１４】
この発明のオプション電源を接続可能とした音響装置によれば、オプション電源を接続するだげで音量を大きくすることができるので、設置場所の変更や使用者の好みに対応するためのコストが安くなる。また、音響装置とオプション電源とを別々に設計するので、開発や在庫などに掛かる費用を低減することができる。
【発明を実施するための最良の形態】
【００１５】
以下この発明を実施するための最良の形態を実施例に即して説明する。図１はこの発明の実施例である音響装置のパワーアンプ部を示す回路図である。図１に示す音響装置Ａは内部電源６を備えており、内部電源６はダイオード８を介してパワーアンプ１に直流電力を供給し、また、定電圧回路７に直流電力を供給する。
【００１６】
パワーアンプ１の電源端子には、さらに、外部電源１５を接続できるコネクタ１４の＋端子がダイオード９を介して接続されている。なお、パワーアンプ１に供給する直流電力の内部電源６の電圧（±Ｖａ）または外部電源１５の電圧（±Ｖｂ）であるが、図１では＋電源の接続のみを示している。外部電源１５の電圧（±Ｖｂ）は内部電源６の電圧（±Ｖａ）より高い。
【００１７】
定電圧回路７はプリアンプ４と電圧増幅器３に定電圧の直流電力を供給する。入力端子５に入力された音声信号は、プリアンプ４および電圧増幅器３で夫々電圧増幅され、さらに、パワーアンプ１で電力増幅されてスピーカ２を駆動する。
【００１８】
パワーアンプ１の出力端子は帰還抵抗器１０または帰還抵抗器１１と接地抵抗器１２の直列回路を介してグランドに接続され、帰還抵抗器１０または帰還抵抗器１１と接地抵抗器１２との接続点は電圧増幅器３の−入力端子に接続されている。電圧増幅器３とパワーアンプ１との増幅段のゲインは帰還抵抗器１０または帰還抵抗器１１と接地抵抗器１２との夫々の抵抗値の比により決定されて２段階に変化させることができる。
【００１９】
すなわち、パワーアンプ１の出力端子は外部電源１５の電圧で切替え制御されるスイッチ１３により帰還抵抗器１０と帰還抵抗器１１とのいずれかに接続される。そして、外部電源１５が接続されると接続されていないときよりも電圧増幅器３とパワーアンプ１との増幅段のゲインは高くなる。
【００２０】
図２に上記音響装置でスピーカ２に印加される電圧の波形の例を示す。なお、外部電源１５が接続されていないときの波形を実線で示し、外部電源１５が接続されているときの波形を点線で示している。
【００２１】
図に示すように、外部電源１５が接続されていないときにはスピーカ２に印加される電圧は内部電源６の供給電圧である±Ｖａで制限されて±Ｖａを越えることはない。そして、外部電源１５が接続されているときは、最大電圧が±Ｖｂとなるまでゲインが高められる。
【００２２】
外部電源１５は別売であるため、スピーカの音量を高くすることを必要としない使用者には高値な装置を購入する必要がなく、音量を大きくしたいときには、オプションの外部電源を購入するだけで対応が可能である。
【００２３】
実施例は以上のように構成されているが発明はこれに限られず、例えば、両極性電源の代わりに単極性電源を使用する音響機器にこの発明を適用することも可能である。
【図面の簡単な説明】
【００２４】
【図１】この発明の実施例である音響装置を示す回路図である。
【図２】同音響装置のパワーアンプ出力を示す波形図である。
【図３】従来の音響装置の例を示す回路図である。を示す斜視図である。
【図４】同音響装置のパワーアンプ出力を示す波形図である。
【符号の説明】
【００２５】
１  パワーアンプ
２  スピーカ
３  電圧増幅器
４  プリアンプ
５  入力端子
６  内部電源
７  定電圧回路
８  ダイオード
９  ダイオード
１０  帰還抵抗器
１１  帰還抵抗器
１２  接地抵抗器
１３  切替スイッチ
１４  コネクタ
１５  外部電源
Ａ  音響装置
Ｂ  音響装置
【図１】
2010130427.tif 000003
【図２】
2010130427.tif 000004
【図３】
2010130427.tif 000005
【図４】
2010130427.tif 000006